(57)【要約】  【課題】  一定幅の水平版部とその長手方向両端に連設された側壁部とからなる縦断面形状が略門型で、両側の側壁部が水平版部の長手方向に対して同方向に傾斜した平面視略平行四辺形のボックスカルバート用コンクリートブロックを製造できるボックスカルバート用コンクリートブロックの製造用型枠を提供する。  【解決手段】  一定幅の水平版部１とその長手方向両端に連設された側壁部２とからなる縦断面形状が略門型のボックスカルバート用コンクリートブロック３を、そのブロック接合方向が水平方向に沿う水平状態で製造するための型枠であって、水平版部の下面を成形するための底枠９と、底枠の上面に配置された一対の側枠１０ａ，１０ｂと、側枠の長手方向両端に配置された一対の側壁部成形用端枠１１ａ，１１ｂとを備え、当該側壁部成形用端枠における側壁部の内外両側面を成形するための成形面Ｓを側枠の長手方向に対し平面視において同方向に傾斜させてある。【選択図】  図６
0003102981.tif 000002
【実用新案登録請求の範囲】
【請求項１】
一定幅の水平版部とその長手方向両端に連設された側壁部とからなる縦断面形状が略門型のボックスカルバート用コンクリートブロックを、そのブロック接合方向が上下方向に沿う縦状態で製造するための製造用型枠であって、コンクリートブロックの接合用一端面を成形するための底枠と、底枠の上面に配置された一対の側枠と、底枠の上面で且つ側枠の長手方向両端に配置された一対の側壁部成形用端枠とを備え、当該側壁部成形用端枠における側壁部の内外両側面を成形するための成形面を底枠の上面に対し側面視において同方向に傾斜させてあることを特徴とするボックスカルバート用コンクリートブロックの製造用型枠。
【請求項２】
請求項１に記載の製造用型枠であって、前記側壁部成形用端枠を成形面の傾斜角度が異なるものと交換可能に構成したことを特徴とするボックスカルバート用コンクリートブロックの製造用型枠。
【請求項３】
一定幅の水平版部とその長手方向両端に連設された側壁部とからなる縦断面形状が略門型のボックスカルバート用コンクリートブロックを、そのブロック接合方向が水平方向に沿う水平状態で製造するための製造用型枠であって、水平版部の下面を成形するための底枠と、底枠の上面に配置された一対の側枠と、側枠の長手方向両端に配置された一対の側壁部成形用端枠とを備え、当該側壁部成形用端枠における側壁部の内外両側面を成形するための成形面を側枠の長手方向に対し平面視において同方向に傾斜させてあることを特徴とするボックスカルバート用コンクリートブロックの製造用型枠。
【請求項４】
請求項３に記載の製造用型枠であって、前記底枠を、平面視矩形状で且つ長手方向複数個に分割された基本枠と、基本枠の長手方向両端に配置され、平面視において一辺が基本枠の長手方向に対して傾斜した一対の角度調整枠とで構成し、前記側枠を基本枠と角度調整枠の突合せ部を境にして分割された構造とし、前記側壁部成形用端枠を、前記底枠よりも幅広で、前記角度調整枠に連なる底枠材とその一端から下方へ折曲連設された側壁部の内側面成形用縦枠材と、当該内側面成形用縦枠材と側壁部の厚さに相当する間隔を隔てて対向位置する側壁部の外側面成形用縦枠材と、両縦枠材の下端部間に位置する側壁部の下面成形用底枠材とから構成し、前記角度調整枠を一辺の傾斜角度が異なるものと交換可能に構成すると共に、当該角度調整枠の一辺の傾斜角度に合わせて側壁部成形用端枠の配置角度を変更可能に構成したことを特徴とするボックスカルバート用コンクリートブロックの製造用型枠。
【考案の詳細な説明】
【技術分野】
【０００１】
本考案は、ボックスカルバート用コンクリートブロックの製造用型枠に関し、詳しくは、天井版又は床版となる一定幅の水平版部とその長手方向両端に連設された側壁部とからなる縦断面形状が略門型のボックスカルバート用コンクリートブロックを製造するために用いる型枠に関するものである。
【背景技術】
【０００２】
例えば、道路と立体交差する横断道路や横断水路等に供される大断面の分割式プレキャスト製ボックスカルバートを構成するコンクリートブロックの製造用型枠には、特許文献１にも記載されている通り、ボックスカルバート用コンクリートブロックを、そのブロック接合方向が上下方向に沿う縦状態で製造する所謂縦打ち方式の製造用型枠と、ブロック接合方向が水平方向に沿う水平状態で製造する所謂平打ち方式の製造用型枠とがある。
【０００３】
何れの方式の製造用型枠を採用するにしても、従来では、図１１に示すように、ボックスカルバートＡが道路Ｂに対して平面視で斜めに交差する場合、ボックスカルバートＡの軸線（ブロック接合方向）と直角な長方形のコンクリートブロックａを必要個数接合し、両端に略三角形のコンクリートブロックｂを接合して、ボックスカルバートＡを構築していたため、ボックスカルバート用コンクリートブロックの製造用型枠としては、軸線と直角な矩形状のコンクリートブロックａを製造するための型枠と、略三角形のコンクリートブロックｂを製造するための型枠の二種類が必要とされ、コンクリートブロックａ，ｂの製造に広い作業ヤードが必要とされた。
【０００４】
しかも、道路Ｂに対するボックスカルバートＡの交差角度は、建設現場毎にまちまちであるから、角度の異なる略三角形のコンクリートブロックｂを製造するための型枠が何種類も必要とされ、型枠改造費が嵩み、広い作業ヤードが必要とされることと相俟ってコストが高く付いた。
【０００５】
【特許文献１】特開２００２−１０３３２１号公報
【考案の開示】
【考案が解決しようとする課題】
【０００６】
ところで、図１１に示したように、道路Ｂに対して平面視で斜めに交差したボックスカルバートＡを構築するにあたり、図８〜図１０に示すように、一定幅の水平版部１とその長手方向両端に連設された側壁部２とからなる縦断面形状が略門型のボックスカルバート用コンクリートブロック３を、両側の側壁部２が水平版部１の長手方向に対して同方向に傾斜した平面視略平行四辺形に成形し、このボックスカルバート用コンクリートブロック３を必要個数接合してボックスカルバートＡを構築すれば、全てのコンクリートブロック３が同一形状（平行四辺形）であるから、略三角形のコンクリートブロックｂを製造するための型枠が不要になり、一種類の型枠で済むので、上述した従来技術の問題点の多くを解決することができる。
【０００７】
尚、図８〜図１０に示したボックスカルバートＡは、前記コンクリートブロック３で上部側（天井版と側壁の一部）が構成され、側壁用コンクリートブロック４で中間部が構成され、前記コンクリートブロック３と上下に略対称的（ハンチの有無でのみ相違する）なコンクリートブロック（床版となる一定幅の水平版部１ａとその長手方向両端に連設された側壁部２ａとからなる縦断面形状が略門型のボックスカルバート用コンクリートブロック）３ａで下部側が構成されている。
【０００８】
本考案は、このような着想に基づいてなされたもので、その主たる目的は、一定幅の水平版部とその長手方向両端に連設された側壁部とからなる縦断面形状が略門型で、且つ、両側の側壁部が水平版部の長手方向に対して同方向に傾斜した平面視略平行四辺形のボックスカルバート用コンクリートブロックを製造できるボックスカルバート用コンクリートブロックの製造用型枠を提供することにある。
【０００９】
本考案の第二の目的は、一定幅の水平版部とその長手方向両端に連設された側壁部とからなる縦断面形状が略門型で、且つ、両側の側壁部が水平版部の長手方向に対して同方向に傾斜した平面視略平行四辺形のボックスカルバート用コンクリートブロックを製造するにあたり、必要最少限の型枠構成部材を交換するだけで、道路に対するボックスカルバートの交差角度が異なる場合に対処できるようにしたボックスカルバート用コンクリートブロックの製造用型枠を提供することにある。
【課題を解決するための手段】
【００１０】
上記の目的を達成するために、本考案が講じた技術的手段は、次のとおりである。即ち、請求項１に記載の考案によるボックスカルバート用コンクリートブロックの製造用型枠は、一定幅の水平版部とその長手方向両端に連設された側壁部とからなる縦断面形状が略門型のボックスカルバート用コンクリートブロックを、そのブロック接合方向が上下方向に沿う縦状態で製造するための製造用型枠であって、コンクリートブロックの接合用一端面を成形するための底枠と、底枠の上面に配置された一対の側枠と、底枠の上面で且つ側枠の長手方向両端に配置された一対の側壁部成形用端枠とを備え、当該側壁部成形用端枠における側壁部の内外両側面を成形するための成形面を底枠の上面に対し側面視において同方向に傾斜させてあることを特徴としている。
【００１１】
請求項２に記載の考案によるボックスカルバート用コンクリートブロックの製造用型枠は、請求項１に記載の製造用型枠であって、前記側壁部成形用端枠を成形面の傾斜角度が異なるものと交換可能に構成したことを特徴としている。
【００１２】
請求項３に記載の考案によるボックスカルバート用コンクリートブロックの製造用型枠は、一定幅の水平版部とその長手方向両端に連設された側壁部とからなる縦断面形状が略門型のボックスカルバート用コンクリートブロックを、そのブロック接合方向が水平方向に沿う水平状態で製造するための製造用型枠であって、水平版部の下面を成形するための底枠と、底枠の上面に配置された一対の側枠と、側枠の長手方向両端に配置された一対の側壁部成形用端枠とを備え、当該側壁部成形用端枠における側壁部の内外両側面を成形するための成形面を側枠の長手方向に対し平面視において同方向に傾斜させてあることを特徴としている。
【００１３】
請求項４に記載の考案によるボックスカルバート用コンクリートブロックの製造用型枠は、請求項３に記載の製造用型枠であって、前記底枠を、平面視矩形状で且つ長手方向複数個に分割された基本枠と、基本枠の長手方向両端に配置され、平面視において一辺が基本枠の長手方向に対して傾斜した一対の角度調整枠とで構成し、前記側枠を基本枠と角度調整枠の突合せ部を境にして分割された構造とし、前記側壁部成形用端枠を、前記底枠よりも幅広で、前記角度調整枠に連なる底枠材とその一端から下方へ折曲連設された側壁部の内側面成形用縦枠材と、当該内側面成形用縦枠材と側壁部の厚さに相当する間隔を隔てて対向位置する側壁部の外側面成形用縦枠材と、両縦枠材の下端部間に位置する側壁部の下面成形用底枠材とから構成し、前記角度調整枠を一辺の傾斜角度が異なるものと交換可能に構成すると共に、当該角度調整枠の一辺の傾斜角度に合わせて側壁部成形用端枠の配置角度を変更可能に構成したことを特徴としている。
【考案の効果】
【００１４】
請求項１，３に記載の考案の構成によれば、一定幅の水平版部とその長手方向両端に連設された側壁部とからなる縦断面形状が略門型で、且つ、両側の側壁部が水平版部の長手方向に対して同方向に傾斜した平面視略平行四辺形のボックスカルバート用コンクリートブロックを製造できる。
【００１５】
従って、上記のボックスカルバート用コンクリートブロックを必要個数接合することによって、道路に対して平面視で斜めに交差したボックスカルバートを構築することができることになり、略三角形のコンクリートブロックを製造するための型枠が不要になるので、一種類の型枠で済み、コンクリートブロック製造のための作業ヤードも狭くて済むという効果がある。
【００１６】
殊に、一定幅の水平版部とその長手方向両端に連設された側壁部とからなる縦断面形状が略門型で、且つ、両側の側壁部が水平版部の長手方向に対して同方向に傾斜した平面視略平行四辺形のボックスカルバート用コンクリートブロックを製造するにあたり、請求項２に記載の考案の構成によれば、側壁部成形用端枠を成形面の傾斜角度が異なるものと交換することにより、また、請求項４に記載の考案の構成によれば、角度調整枠を一辺の傾斜角度が異なるものと交換すると共に、当該角度調整枠の一辺の傾斜角度に合わせて側壁部成形用端枠の配置角度を変更し、更に、基本枠と角度調整枠の突合せ部から側壁部成形用端枠側に位置する側枠を長さの異なるものと交換することにより、道路に対するボックスカルバートの交差角度が異なる場合に対処できる。
【００１７】
従って、型枠改造費が安くて済み、作業ヤードが狭くて済むことと相俟って大幅なコストダウンが可能である。
【考案を実施するための最良の形態】
【００１８】
図１〜図３は、本考案を所謂縦打ち方式の製造用型枠に適用した実施形態を示す。この型枠は、図８〜図１０に示すように、道路と斜めに立体交差する横断道路や横断水路等に供される大断面の分割式プレキャスト製ボックスカルバートＡを構成するコンクリートブロック（一定幅の水平版部１とその長手方向両端に連設された側壁部２とからなる縦断面形状が略門型、且つ、両側の側壁部２が水平版部１の長手方向に対して同方向に傾斜した平面視略平行四辺形のボックスカルバート用コンクリートブロック）３を、そのブロック接合方向が上下方向に沿う縦状態で製造するための型枠である。
【００１９】
この型枠は、鋼製であって、コンクリートブロック３の接合用一端面（水平版部１及び側壁部２の一側面）を成形するための略水平な底枠５と、底枠５の上面に水平版部１の厚さに相当する間隔を隔てて配置された一対の側枠６ａ，６ｂと、底枠５の上面で且つ側枠６ａ，６ｂの長手方向両端に配置された一対の側壁部成形用端枠７ａ，７ｂと、底枠５の上面に配置された一対の側壁部下面成形用側枠８ａ，８ｂとを備えている。前記側壁部成形用端枠７ａ，７ｂにおける側壁部３の内外両側面を成形するための成形面Ｓは、底枠５の上面に対し側面視において同方向に傾斜させてある。また、前記側壁部成形用端枠７ａ，７ｂは、成形面Ｓの傾斜角度が異なるものと交換可能に構成されている。
【００２０】
上記の構成によれば、図８〜図１０に示すように、一定幅の水平版部１とその長手方向両端に連設された側壁部２とからなる縦断面形状が略門型で、且つ、両側の側壁部２が水平版部の長手方向に対して同方向に傾斜した平面視略平行四辺形のボックスカルバート用コンクリートブロック３を製造できる。
【００２１】
従って、上記の平行四辺形のボックスカルバート用コンクリートブロック３を必要個数接合することによって、道路に対して平面視で斜めに交差したボックスカルバートＡを構
築することができることになり、図１１で示したような略三角形のコンクリートブロックｂを製造するための型枠が不要になるので、一種類の型枠で済み、コンクリートブロック製造のための作業ヤードも狭くて済む。
【００２２】
しかも、側壁部成形用端枠７ａ，７ｂを成形面Ｓの傾斜角度が異なるものと交換することによって、道路に対するボックスカルバートＡの交差角度が異なる場合に対処できるので、型枠改造費が安くて済み、作業ヤードが狭くて済むことと相俟って大幅なコストダウンが可能である。
【００２３】
図４〜図７は、本考案を所謂平打ち方式の製造用型枠に適用した実施形態を示す。この型枠は、一定幅の水平版部１とその長手方向両端に連設された側壁部２とからなる縦断面形状が略門型のボックスカルバート用コンクリートブロック３を、そのブロック接合方向が水平方向に沿う水平状態で製造するための製造用型枠である。この型枠は、鋼製であって、水平版部１の下面を成形するための略水平な底枠９と、底枠９の上面に水平版部１の幅に相当する間隔を隔てて配置された一対の側枠１０ａ，１０ｂと、側枠１０ａ，１０ｂの長手方向両端に配置された一対の側壁部成形用端枠１１ａ，１１ｂとを備えており、当該側壁部成形用端枠１１ａ，１１ｂにおける側壁部２の内外両側面を成形するための成形面Ｓを側枠１０ａ，１０ｂの長手方向に対し平面視において同方向に傾斜させてある。１２は基礎、１３は底枠９を支持する架台、１４は側壁部成形用端枠１１ａ，１１ｂを支持する架台である。
【００２４】
前記底枠９は、平面視矩形状で且つ長手方向複数個に分割された基本枠９Ａと、基本枠９Ａの長手方向両端に配置され、平面視において一辺Ｐが基本枠９Ａの長手方向に対して傾斜した一対の角度調整枠９Ｂとで構成されている。そして、基本枠９Ａを構成する分割枠の使用個数の調節により、ボックスカルバートＡの横幅（内部に形成される横断道路や横断水路等の幅）の変更に対処するように構成されている。前記側枠１０ａ，１０ｂは、基本枠９Ａの分割位置や基本枠９Ａと角度調整枠９Ｂの突合せ部Ｑを境にして分割された構造とされている。
【００２５】
前記側壁部成形用端枠１１ａ，１１ｂは、前記角度調整枠９Ｂに連なる底枠材１５と、その一端から下方へ折曲連設された側壁部の内側面成形用縦枠材１６と、当該内側面成形用縦枠材１６と側壁部の厚さに相当する間隔を隔てて対向位置する側壁部の外側面成形用縦枠材１７と、両縦枠材１６，１７の下端部間に位置する側壁部の下面成形用底枠材１８とから構成されている。
【００２６】
また、側壁部成形用端枠１１ａ，１１ｂは、架台１３を基礎１２上で移動させることにより、底枠９の長手方向に対する配置角度を変更できるように構成されており、側壁部成形用端枠１１ａ，１１ｂを底枠９の長手方向に対して最大角度（例えば６０度）に傾斜した状態に配置しても、一対の側枠１０ａ，１０ｂが側壁部成形用端枠１１ａ，１１ｂからはみ出さないように、側壁部成形用端枠１１ａ，１１ｂの横幅Ｈを、前記底枠９の横幅ｈよりも広く形成してある。
【００２７】
上記の構成によれば、図８〜図１０に示すように、一定幅の水平版部１とその長手方向両端に連設された側壁部２とからなる縦断面形状が略門型で、且つ、両側の側壁部２が水平版部の長手方向に対して同方向に傾斜した平面視略平行四辺形のボックスカルバート用コンクリートブロック３を製造できる。
【００２８】
従って、上記の平行四辺形のボックスカルバート用コンクリートブロック３を必要個数接合することによって、道路に対して平面視で斜めに交差したボックスカルバートＡを構築することができることになり、図１１で示したような略三角形のコンクリートブロック
ｂを製造するための型枠が不要になるので、一種類の型枠で済み、コンクリートブロック製造のための作業ヤードも狭くて済む。
【００２９】
しかも、角度調整枠９Ｂを一辺Ｐの傾斜角度が異なるものと交換すると共に、当該角度調整枠９Ｂの一辺Ｐの傾斜角度に合わせて側壁部成形用端枠１１ａ，１１ｂの配置角度を変更し、更に、基本枠９Ａと角度調整枠９Ｂの突合せ部Ｑから側壁部成形用端枠１１ａ，１１ｂ側に位置する側枠１０ａ，１０ｂを長さの異なるものと交換することにより、道路に対するボックスカルバートＡの交差角度が異なる場合に対処できるので、型枠改造費が安くて済み、作業ヤードが狭くて済むことと相俟って大幅なコストダウンが可能である。
【００３０】
尚、角度調整枠９Ｂの代わりに基本枠９Ａを用いることにより、図７に仮想線で示すように、側壁部成形用端枠１１ａ，１１ｂを直角に配置して、ボックスカルバートＡの軸線（ブロック接合方向）と直角な長方形のコンクリートブロックを製造することも可能である。また、図１〜図３、図４〜図７では、何れも、ボックスカルバートＡの上部側を構成するためのコンクリートブロック（水平版部１の両端側にハンチのあるコンクリートブロック）３を製造する場合を例にとって本考案の実施形態を説明したが、本考案は、前記コンクリートブロック３と上下に略対称的（ハンチの有無でのみ相違する）なコンクリートブロック（床版となる一定幅の水平版部１ａとその長手方向両端に連設された側壁部２ａとからなる縦断面形状が略門型のボックスカルバート用コンクリートブロック）３ａを製造する場合にも適用可能である。
同様に実施できる。
【図面の簡単な説明】
【００３１】
【図１】本考案の一実施形態を示す縦断側面図である。
【図２】平面図である。
【図３】斜視図である。
【図４】本考案の他の実施形態を示す縦断側面図である。
【図５】平面図である。
【図６】分解斜視図である。
【図７】作用を説明する平面図である。
【図８】ボックスカルバートの斜視図である。
【図９】ボックスカルバートの平面図である。
【図１０】ボックスカルバート用コンクリートブロックの正面図である。
【図１１】従来技術を説明するためのボックスカルバートの平面図である。
【符号の説明】
【００３２】
１  水平版部
２  側壁部
３  コンクリートブロック
５  底枠
６ａ，６ｂ  側枠
７ａ，７ｂ  側壁部成形用端枠
９  底枠
９Ａ  基本枠
９Ｂ  角度調整枠
１０ａ，１０ｂ  側枠
１１ａ，１１ｂ  側壁部成形用端枠
Ｐ  一辺
Ｑ  突合せ部
Ｓ  成形面
【図１】
0003102981.tif 000003
【図２】
0003102981.tif 000004
【図３】
0003102981.tif 000005
【図４】
0003102981.tif 000006
【図５】
0003102981.tif 000007
【図６】
0003102981.tif 000008
【図７】
0003102981.tif 000009
【図８】
0003102981.tif 000010
【図９】
0003102981.tif 000011
【図１０】
0003102981.tif 000012
【図１１】
0003102981.tif 000013